(57)【要約】      （修正有）【課題】簡易な操作によりゼッケンとバンド体とを一体化し、競技の邪魔になることなく安全に用いられるとともに使用後には参加者に記念品としても支給されるゼッケン取付具を提供する。【解決手段】少なくとも一対のゼッケン保持体が、第１主面部６側の中央部に形成した折曲ガイド凹部７を介して２つ折りした状態でバンド体３に掛け合わせて相対する第１領域部１０と第２領域部１１との間でバンド体３を挟持し、相対する先端部の第１係合部８と第２係合部９をゼッケン２を挟み込んだ状態で係合してゼッケン２を保持する。【選択図】図２
0003156057.tif 000002
【実用新案登録請求の範囲】
【請求項１】
バンド体と、このバンド体に着脱される少なくとも一対のゼッケン保持体とからなり、参加者が付けるゼッケンを取り付けるためのゼッケン取付具であり、
上記ゼッケン保持体が、可撓性を有する合成樹脂材により全体がほぼ矩形の板状を呈して一体に形成され、第１主面部側に長さ方向の中央部に位置して全体を長さ方向に対して第１領域部と第２領域部に区割りする幅方向の折曲ガイド凹部と、上記第１領域部側の先端部の近傍に位置する第１係合部と、この第１係合部に相対する上記第２領域部側の先端部の近傍に位置する第２係合部が形成されるとともに、上記第１領域部又は上記第２領域部の少なくともいずれか一方には適宜の表示部が設けられてなり、
上記折曲ガイド凹部を介して上記第１主面部を内側にして２つ折りした状態で上記バンド体に掛け合わせるように組み付けることにより相対する上記第１領域部と上記第２領域部が上記バンド体を挟持するバンド体挟持部を構成するとともに、上記ゼッケンを挟み込んだ状態で上記第１係合部と上記第２係合部が相対係合されて一体化されて上記ゼッケンを保持するゼッケン取付具。
【請求項２】
上記バンド体には、長さ調整手段が設けられ、上記ゼッケンを装着する参加者により長さ調整が行われる請求項１に記載のゼッケン取付具。
【請求項３】
上記バンド体が、上記ゼッケンを装着する参加者の胸回りや腰回りに装着される紐体、ベルト体、ゴムベルト体或いはたすきである請求項１又は請求項２に記載のゼッケン取付具。
【請求項４】
上記ゼッケン保持体に形成される上記第１係合部と上記第２係合部が、軸状凸部と、この軸状凸部が相対係合される係合孔を有する筒状凸部である請求項１乃至請求項３のいずれか１項に記載のゼッケン取付具。
【請求項５】
上記ゼッケン保持体に形成される上記第１係合部と上記第２係合部が、上記筒状凸部を上記ゼッケンに形成した取付孔を貫通させた状態で上記係合孔内に上記軸状凸部を係合させて一体化される請求項４に記載のゼッケン取付具。
【請求項６】
上記ゼッケン保持体には、上記折曲ガイド凹部を介して２つ折りした状態で上記第１領域部又は上記第２領域部の表側となる上記第２主面部に装飾体が設けられる請求項１乃至請求項５のいずれか１項に記載のゼッケン取付具。
【請求項７】
上記ゼッケン保持体の上記第１主面又は上記第２主面側に設けられる上記表示部に競技会名が表示され、競技会の終了後に当該ゼッケンを装着した参加者に参加記念品として支給される請求項１乃至請求項６のいずれか１項に記載のゼッケン取付具。
【考案の詳細な説明】
【技術分野】
【０００１】
本考案は、各種の競技会やイベント等において参加者等が装着するゼッケンを取り付けるためのゼッケン取付具に関する。
【背景技術】
【０００２】
各種競技会等においては、競技の参加者が胸や腰に自他識別のためのゼッケンを装着する。ゼッケンは、一般に登録番号や大会名或いはスポンサ名等を印刷した所定の大きさの基布に吊下げ紐を取り付けて構成される。かかるゼッケンは、吊下げ紐やその取付工程等によってコスト高となるとともに、参加者の体格や取付位置によって長さを異にした吊下げ紐が必要となるといった問題があった。
【０００３】
したがって、ゼッケンにおいては、吊下げ紐の無い１枚のゼッケン基布により構成し、このゼッケン基布を適宜の取付具を用いて参加者のユニフォームに取り付けるようにしている。例えば、特許文献１には、両端部に相対して係止部を設けた２部材型或いは全体略Ｕ字状の固定具が用いられ、この固定具を紐の両端に取り付け、固定具の一端側をゼッケンに形成した取付孔に貫通させて相対する係止部を結合することによりゼッケンを取り付ける方法が記載されている。また、特許文献２には、運動着本体のゼッケン取付位置に安全ピンを止めるための紐等をループ状に形成した部位が形成される。
【０００４】
しかしながら、上述した特許文献１の固定具は、２部材或いは立体形状の固定具を用いることから取り扱いが面倒であり、またコストが高くなってしまうといった問題がある。また、固定具は、取付孔を設けたゼッケンを必須とするために、コストアップとなる。また、引用文献２においては、安全ピンを用いることから小さな子供等が着脱する際には危険であり、またユニフォーム自体に安全ピンの取付部を設ける必要がある。安全ピンは、例えば競技終了後にゼッケンを取り外して回収されるが、参加者の興奮がおさまっておらず慌ただしい時でもあり確実に回収されずに落としたままとなることもある。
【先行技術文献】
【特許文献】
【０００５】
【特許文献１】実用新案登録第２５７９５５７号公報
【特許文献２】特開２００６−２８７１６号公報
【考案の概要】
【考案が解決しようとする課題】
【０００６】
ゼッケン取付具は、競技前後の気持ちがたかぶっている参加者や小さな子供達でも簡易な操作によりゼッケンを着脱することが可能であることが好ましい。ゼッケン取付具は、競技中の参加者の激しい動きに対してもゼッケンが外れることなくしっかりと保持する機能を奏するものでなければならない。ゼッケン取付具は、競技中の参加者に違和感を与えず邪魔にならない小型かつ軽量でなければならない。ゼッケン取付具は、ゼッケンを着脱する際や、万一脱落した場合でも安全性が確保されなければならない。
【０００７】
ところで、多くの競技会等においては、競技終了後に参加者に対して何らかの出場記念品や参加賞が提供されるが、参加者が多くなるとその費用負担も極めて大きくなる。例えば、参加者の思いがこもるゼッケンをそのまま記念品として提供することにより費用削減が図られるが、長期間に亘って保存していると汗等の汚れで変質してしまうことがある。
【０００８】
したがって、本考案は、競技会等の参加者が簡易な操作によりバンド体及びゼッケンの組み合わせを同時に行うことを可能とし、しっかりと取り付けて競技の邪魔になることなく安全に用いられるようにするとともに使用後には参加者に記念品としても支給される廉価なゼッケン取付具を提供することを目的に提案されたものである。
【課題を解決するための手段】
【０００９】
上述した目的を達成する本考案に係るゼッケン取付具は、バンド体と、このバンド体に着脱されてゼッケンを取り付ける少なくとも一対のゼッケン保持体とからなる。ゼッケン取付具は、ゼッケン保持体が、可撓性を有する合成樹脂材により全体がほぼ矩形の板状を呈して一体に形成され、第１主面部側に長さ方向の中央部に位置して全体を長さ方向に対して第１領域部と第２領域部に区割りする幅方向の折曲ガイド凹部と、第１領域部側の先端部の近傍に位置する第１係合部と、この第１係合部に相対する第２領域部側の先端部の近傍に位置する第２係合部が形成されるとともに、第１領域部又は第２領域部の少なくともいずれか一方には適宜の表示部が設けられてなる。
【００１０】
ゼッケン取付具においては、折曲ガイド凹部を介して第１主面部を内側にして２つ折りした状態でバンド体に掛け合わせるように組み付けられる。ゼッケン取付具においては、相対する第１領域部と第２領域部がバンド体を挟持するバンド体挟持部を構成する。ゼッケン取付具においては、バンド体挟持部によりゼッケンを挟み込んだ状態で第１係合部と第２係合部を相対係合して一体化することによりゼッケンを保持する。ゼッケン取付具においては、競技会等の参加者がバンド体を身体の所定の部位に取り付けることにより、ゼッケンの装着が行われるようにする。ゼッケン取付具においては、バンド体挟持部を介して第１領域部と第２領域部間でバンド体を挟持することによりしっかりと位置決め固定される。
【００１１】
また、本考案に係るゼッケン取付具は、バンド体に長さ調整手段が設けられており、ゼッケンを装着する参加者が体格や装着位置に応じて適宜の長さに調整可能とする。本考案に係るゼッケン取付具は、参加者の胸回りや腰回りに装着されるバンド体として、例えば紐体、ベルト体、ゴムベルト体或いはたすきが用いられる。
【００１２】
さらに、本考案に係るゼッケン取付具は、ゼッケン保持体に形成される第１係合部と第２係合部を、軸状凸部と、この軸状凸部が相対係合される係合孔を有する筒状凸部とから構成し、ゼッケンを挟み込んだ状態でこれら軸状凸部と筒状凸部を係合して一体化することにより簡易な操作でゼッケンを取り付けることを可能とする。また、本考案に係るゼッケン取付具は、ゼッケンに取付孔を形成し、この取付孔に例えば筒状凸部を貫通させた状態でその係合孔内に軸状凸部を係合させて一体化するようにしてもよい。ゼッケン取付具においては、かかる構成により、ゼッケンに皺より等を生じさせず、また激しい動きに対しても脱落等の発生を確実に防止することが可能である。
【００１３】
本考案に係るゼッケン取付具は、ゼッケン保持体に、折曲ガイド凹部を介して２つ折りした状態で第１領域部又は第２領域部の表側となる第２主面部に適宜の装飾体を設けるようにしてもよい。また、ゼッケン取付具は、ゼッケン保持体の第１主面又は第２主面側に設けられる表示部に競技会名が表示され、競技会の終了後に当該ゼッケンを装着した参加者に参加記念品として支給される。
【考案の効果】
【００１４】
本考案に係るゼッケン取付具よれば、簡易な形状で廉価に製作されるゼッケン保持体を２つ折りしてバンド体に懸架するとともに第１係合部と第２係合部を係合することにより挟み込んだゼッケンを保持する簡易な操作によってバンド体及びゼッケンの組み合わせを同時に行うことを可能とし、激しい動きに対してもゼッケンを脱落することなく確実に保持する。ゼッケン取付具よれば、安全であり、長さを調節したバンド体により参加者の胸回りや腰回り等の部位に装着することが可能であり、またユニフォームに取付用の孔を穿孔するといった細工を不要とする。ゼッケン取付具よれば、ゼッケン保持体が使用後には競技をともにした参加者に対して記念品としても支給される。
【図面の簡単な説明】
【００１５】
【図１】本考案の実施の形態として示すゼッケン取付具の使用状態の斜視図である。
【図２】同ゼッケン取付具の断面図である。
【図３】ゼッケン保持体の裏面側からの斜視図である。
【図４】ゼッケン取付具の使用態様の説明図である。
【図５】ゼッケン取付具の他の使用態様の説明図である。
【図６】第２の実施の形態として示すゼッケン取付具の使用状態の斜視図である。
【図７】同ゼッケン取付具の断面図である。
【図８】同ゼッケン取付具を構成するゼッケン保持体の展開状態の断面図である。
【図９】同ゼッケン保持体の裏面側からの斜視図である。
【図１０】同ゼッケン取付具の  他のゼッケンを取り付けた使用態様の断面図である。
【考案を実施するための形態】
【００１６】
以下、本考案の第１の実施の形態として示すゼッケン取付具１について、図１乃至図５を参照して詳細に説明する。ゼッケン取付具１は、例えば各種の競技会において競技に参加する参加者Ｍ等に配布される自他識別用のゼッケン２を取り付けて保持し、当該参加者Ｍ等の胸回りや腰回りに装着することを可能とする。ゼッケン取付具１は、参加者Ｍ等の身体各部に装着するバンド体３と、例えば１枚のゼッケン２に対して少なくとも一対が用いられてゼッケン２を保持しバンド体３に対して着脱されるゼッケン保持体４Ａ、４Ｂとから構成される。なお、ゼッケン保持体４Ａ、４Ｂは、基本的な構成を同様とすることから、以下の説明において個別に説明する場合を除いてゼッケン保持体４と総称する。
【００１７】
ゼッケン取付具１は、バンド体３に対して例えば一対のゼッケン保持体４Ａ、４Ｂを後述する操作によりゼッケン２の横幅に応じて所定の間隔を以って組み合わせ、これらゼッケン保持体４Ａ、４Ｂによりゼッケン２を保持する。ゼッケン取付具１は、競技終了後にゼッケン２を取り外したゼッケン保持体４が、例えば参加賞としてそのまま参加者Ｍに提供される。
【００１８】
ゼッケン取付具１は、バンド体３として、参加者Ｍへの負担を軽減して所定の部位に装着することが可能な、軽量かつ柔らかであるとともにある程度の強靱性を有するやや太幅の平ゴム紐が用いられる。バンド体３は、図１に示すように端部３Ａ、３Ｂをそれぞれ結合手段を構成する結合プレート５Ａ、５Ｂに連結され、これら結合プレート５Ａ、５Ｂを一体化することにより輪の状態にして参加者Ｍの胸回り等に装着される。バンド体３は、平ゴム紐を用いることにより伸び縮み自在であり、ゼッケン取付具１を参加者Ｍの体格や装着部位に応じて装着することを可能とする。
【００１９】
なお、バンド体３は、平ゴム紐に限定されず、例えば布製の紐体やたすき或いはベルト等の長尺なベルト状部材が用いられる。また、バンド体３については、長尺のベルト状部材に限定されず、例えば両肩から吊す紐が付いたバンド体や、少なくともゼッケン保持体４を懸架するバンド部位が設けられたウェアタイプ等であってもよい。ゼッケン取付具１は、参加者Ｍへの装着方法として胸回り等に巻き付けるバンド体３を用いるようにしたが、かかるバンド体３に限定されないことは勿論である。ゼッケン取付具１は、バンド体３として従来のゼッケンのように両肩から吊り下げる吊下げ紐を用い、この吊下げ紐にゼッケン保持体４を取り付けるようにしてもよい。
【００２０】
結合プレート５Ａ、５Ｂは、その結合位置を調整することによりバンド体３の長さを調整することも可能である。結合プレート５Ａは、合成樹脂材により横長矩形に形成され、バンド体３の一方の端部３Ａを掛け合わせて固定するとともに長さ方向に並んで複数の係合孔が形成される。結合プレート５Ｂも、合成樹脂材により結合プレート５Ａとほぼ同形の横長矩形に形成され、バンド体３の他方の端部３Ｂを掛け合わせて固定するとともに長さ方向に並んで係合孔に係合される複数の係合凸部が形成される。結合プレート５Ａ、５Ｂは、係合孔を選択して係合凸部を係合することにより端部３Ａ、３Ｂを結合してバンド体３の長さを適宜調整する。
【００２１】
なお、バンド体３は、端部３Ａ、３Ｂの結合部材として上述した結合プレート５Ａ、５Ｂに限定されないことは勿論であり、例えば端部３Ａ、３Ｂの相対する主面にそれぞれ設けられる面ファスナ等を用いてもよい。バンド体３は、相対する面ファスナの結合位置を変えて結合することにより、端部３Ａ、３Ｂを結合するとともに長さ調整も行われるようにする。なお、バンド体３は、端部３Ａ、３Ｂに結合手段を設けるとともに、途中箇所に長さ調節構造を設けるようにしてもよい。
【００２２】
ゼッケン取付具１は、ゼッケン保持体４が、ある程度の可撓性を有する合成樹脂材、例えば塩化ビニル樹脂材、ポリエチレン樹脂材或いはポリプロピレン樹脂材等を素材として図３に示すように全体がほぼ矩形の薄板状に形成される。ゼッケン保持体４には、同図に表面として示す第１主面部６側に折曲ガイド凹部７と、第１係合部８と、第２係合部９が一体に形成される。ゼッケン保持体４は、折曲ガイド凹部７が、長さ方向の中央部に位置して形成された断面Ｖ字状或いはＵ字状の幅方向の凹溝により構成し、この折曲ガイド凹部７により長さ方向に対して隣り合う第１領域部１０と第２領域部１１に区割りされる。ゼッケン保持体４は、使用に際して図１及び図２に示すように折曲ガイド凹部７を介して第１主面部６を内側にして第１領域部１０と第２領域部１１を対向させるようにして２つ折りされる。
【００２３】
ゼッケン保持体４は、同図に裏面として示す第２主面部１２が、後述するように折曲ガイド凹部７を介して第１主面部６を内側にして２つ折りする使用状態で表面となる。ゼッケン保持体４は、上述した折曲ガイド凹部７により区割りされた第２主面部１２の第１領域部１０が装飾体１３の取付部を構成するとともに、第２領域部１１が表示部１４を構成する。なお、ゼッケン保持体４は、参加者Ｍの激しい動きに対しても邪魔にならない大きさ、重さ、厚みに形成されるとともに、図示を省略するが危険の無いように外周縁部が円弧状に形成される。
【００２４】
ゼッケン保持体４は、図３及び図４に示すように、第１係合部８と第２係合部９が２つ折りした状態を保持するとともにゼッケン２の取付部として作用する。第１係合部８は、第１領域部１０の先端部の近傍に位置して一体に形成された軸状凸部からなる。第２係合部９は、第２領域部１１の先端部の近傍に位置し、ゼッケン保持体４が２つ折りされた状態で第１係合部８と相対して一体に形成される。第２係合部９は、第１係合部８がきつく嵌合することが可能な孔径でありかつ第１係合部８の軸長とほぼ等しい深さの底付孔からなる係合孔９Ａを有する筒状凸部から構成される。
【００２５】
なお、ゼッケン保持体４は、２つ折りした状態を保持する構造として上述した第１係合部８と第２係合部９の構成に限定されないことは勿論であり、例えば第１領域部１０側に第２係合部９を形成するとともに第２領域部１１側に第１係合部８を形成してもよい。また、ゼッケン保持体４は、第１係合部８と第２係合部９を、例えば一方側を球形の頭部を有する係合凸部により構成するとともに、他方側を係合凸部の頭部が嵌合する係合孔によって構成してもよい。さらに、ゼッケン保持体４は、第１係合部８と第２係合部９を、例えば一方側をフック状凸部とするとともに他方側をこのフック状凸部が相対係合する係合孔によって構成してもよい。
【００２６】
ゼッケン保持体４は、第１領域部１０の第２主面部１２が平滑面として形成され、図１乃至図３に示すように装飾体１３が取り付けられる。装飾体１３は、例えばフェルト等を素材として例えば競技会のシンボル図形や適宜の図形を立体的に形成し、第２主面部１２に接着剤や両面粘着テープ等により取り付ける。ゼッケン保持体４は、装飾体１３を取り付けた第１領域部１０の第２主面部１２を表側として使用される。
【００２７】
ゼッケン保持体４は、上述したように第２領域部１１の第２主面部１２が表示部１４として例えば競技会名等が表示される。ゼッケン保持体４は、上述したように合成樹脂材により成形されることから、表示部１４の文字、数字或いは紋様等を成形金型に彫り込むことにより形成することが可能である。ゼッケン保持体４は、表示部１４を設けた第２領域部１１の第２主面部１２を内側にして使用される。
【００２８】
なお、ゼッケン保持体４は、表示部１４を、装飾体１３を取り付けた第１領域部１０の第２主面部１２に装飾体１３に代えて或いは装飾体１３とともに設けてもよい。また、ゼッケン保持体４は、例えばシールや札等を貼り付けて表示部１４を構成したり、例えば第１領域部１０側に競技会名を表示するとともに第２領域部１１側に開催日、参加記念等の表示を行ってもよい。
【００２９】
ゼッケン２は、例えば布や不織紙等の適宜の基布により全体が矩形に製作され、図１に示すように表面に登録番号１５や競技大会名１６或いは図示しないがスポンサ名等がプリント印刷されている。ゼッケン２には、上縁部の近傍に位置して長さ方向に離間して２個の取付孔１７が形成される。取付孔１７は、上述したゼッケン保持体４の第２係合部９を貫通させる孔径を以って形成される。
【００３０】
ゼッケン取付具１は、例えば競技会において受付手続きを終えた参加者Ｍに対して、ゼッケン２とともに、バンド体３と２個のゼッケン保持体４Ａ、４Ｂが１セットとして支給される。なお、ゼッケン取付具１は、競技会の規定によりゼッケン２を参加者Ｍの胸と背中に装着する場合には、２枚のゼッケン２とバンド体３と４個のゼッケン保持体４を１セットにして参加者Ｍに支給される。
【００３１】
ゼッケン取付具１においては、参加者Ｍがバンド体３を輪にし、例えば所定の胸回り或いは腰回りにあてがわれる。ゼッケン取付具１においては、参加者Ｍがそれぞれの体格や装着位置に合わせて結合プレート５Ａ、５Ｂの結合位置を調節した後に結合することにより、バンド体３が図４に示すように所定の胸回り或いは図５に示すように腰回りに装着される。
【００３２】
ゼッケン取付具１においては、２個のゼッケン保持体４Ａ、４Ｂが、それぞれ折曲ガイド凹部７を介して２つ折りされてバンド体３に対して掛け合わせるようにして組み付けられる。ゼッケン取付具１においては、ゼッケン保持体４Ａ、４Ｂの第１領域部１０と第２領域部１１の間にゼッケン２を挟み込み、これらゼッケン保持体４Ａ、４Ｂをバンド体３に沿ってゼッケン２の横幅に合わせた間隔に設定する。ゼッケン取付具１においては、ゼッケン２の取付孔１７にゼッケン保持体４Ａ、４Ｂのそれぞれの第２係合部９を貫通させることにより、ゼッケン２を吊り下げた状態とする。
【００３３】
ゼッケン取付具１においては、ゼッケン保持体４が、第２係合部９をゼッケン２の取付孔１７に貫通させた状態で、図２に示すように第１係合部８を係合孔９Ａ内に押し込みながら第２係合部９に係合させる。ゼッケン取付具１においては、これによりゼッケン保持体４が第１領域部１０と第２領域部１１の間でバンド体３を挟持する。ゼッケン取付具１においては、これにより２個のゼッケン保持体４Ａ、４Ｂが、バンド体３に対してそれぞれ所定位置に固定されることになり、図１に示すようにゼッケン２を拡げた状態に保持する。ゼッケン取付具１においては、参加者Ｍの激しい動きに対しても２個のゼッケン保持体４Ａ、４Ｂに位置ズレを生じることは無く、ゼッケン２をしっかりと保持する。
【００３４】
ゼッケン取付具１においては、競技会が終了すると、参加者Ｍにより第１領域部１０が第２領域部１１に対してやや強く引張り操作されることにより、第１係合部８と第２係合部９の係合状態が解除される。ゼッケン取付具１においては、これによりゼッケン２の保持状態を解除してゼッケン２をゼッケン保持体４から取り外すことを可能とし、またゼッケン保持体４を引き抜くことによりバンド体３からの取り外しが行われる。
【００３５】
ゼッケン取付具１は、取り外したゼッケン保持体４が、参加者Ｍに対して大会参加の記念品としてそのまま提供される。ゼッケン取付具１は、上述したようにゼッケン保持体４の表示部１４に競技大会名等が設けられており、参加者Ｍにとって競技で直接使用したものであることからよい記念品となり、また構造により廉価に製作されるために主催者側にとっても費用負担が小さい。
【００３６】
本考案の第２の実施の形態として図６乃至図９に示したゼッケン取付具２０は、上述したゼッケン取付具１と同様に、バンド体３に取り付けられる少なくとも一対のゼッケン保持体２１Ａ、２１Ｂ（ゼッケン保持体２１）によりゼッケン２を保持する。ゼッケン取付具２０は、バンド体３に対してゼッケン保持体２１が位置ズレを生じることなくより強固に組み合わされる構造に特徴がある。ゼッケン取付具２０も、使用後には参加者Ｍに対して出場の記念品として提供される。なお、ゼッケン取付具２０は、ゼッケン保持体２１が基本的な構成を上述したゼッケン取付具１と同様とすることから、対応する部位には同一符号を付して説明を省略する。
【００３７】
なお、第２の実施の形態においては、図６に示すようにバンド体３として例えばやや幅広の布製の紐体が用いられ、その端部３Ａ、３Ｂの相対する主面に上述した結合プレート５Ａ、５Ｂに代えてそれぞれ係脱自在な面ファスナが設けられて結合部を構成する。バンド体３は、これら面ファスナを結合位置を変えて結合することにより、長さが適宜調整される。また、ゼッケン取付具１は、ゼッケン保持体２１が、装飾体１３を取り外して表示部１４のみを設けた簡易な構造となっている。
【００３８】
ゼッケン保持体２１も、ある程度の可撓性を有する合成樹脂材、例えば塩化ビニル樹脂材、ポリエチレン樹脂材或いはポリプロピレン樹脂材等を素材として図８及び図９に示すように全体がほぼ矩形の薄板状に形成される。ゼッケン保持体２１も、図９に表面として示す第１主面部６側に折曲ガイド凹部７と、第１係合部８と、第２係合部９が一体に形成される。ゼッケン保持体２１も、折曲ガイド凹部７によって長さ方向に対して隣り合う第１領域部１０と第２領域部１１に区割りされ、使用に際して図７に示すように折曲ガイド凹部７を介して第１主面部６を内側にして第１領域部１０と第２領域部１１を対向させるようにして２つ折りされる。
【００３９】
ゼッケン保持体２１も、図９に裏面として示す第２主面部１２が、折曲ガイド凹部７を介して第１主面部６を内側にして２つ折りする使用状態で表面となる。ゼッケン保持体２１も、第２領域部１１が表示部１４を構成し、図６に示すようにこの表示部１４を表側にしてバンド体３に組み付けられる。ゼッケン保持体２１は、表示部１４に大会名等の文字を成形金型に彫り込むことにより形成する。
【００４０】
ゼッケン保持体２１には、図７に示すように、２つ折りしてバンド体３に装着した状態において、位置ズレを生じることなく取り付けが行われるようにするために第１バンド体挟持部２２と第２バンド体挟持部２３が一体に形成されている。第１バンド体挟持部２２は、図８に示すように第１主面部６の第１領域部１０に、折曲ガイド凹部７と第１係合部８の間に適宜のピッチを以って多数の幅方向の断面三角形状の凸条を一体に形成した部位からなる。第２バンド体挟持部２３は、第１主面部６の第２領域部１１に、折曲ガイド凹部７と第２係合部９の間に適宜のピッチを以って多数の幅方向の断面三角形状の凸条を一体に形成した部位からなる。第２バンド体挟持部２３は、各凸部が、ゼッケン保持体２１を２つ折りした状態で長さ方向に対して第１バンド体挟持部２２の相対する凸条と長さ方向に半ピッチずれるようにして形成される。
【００４１】
なお、第１バンド体挟持部２２と第２バンド体挟持部２３は、かかる構成に限定され無いことは勿論であり、例えば第１領域部１０或いは第２領域部１１のいずれか一方側に形成されて、バンド体３を挟み込んで保持するようにしてもよい。第１バンド体挟持部２２と第２バンド体挟持部２３は、バンド体３の位置ズレを規制すればよく、断面三角形状の凸条に限定されるものでは無い。
【００４２】
ゼッケン取付具２０においても、参加者Ｍがバンド体３を輪にして所定の胸回り或いは腰回りに仮装着した後に、結合手段５によりそれぞれの体格に合わせて長さの調節を行って固定される。２個のゼッケン保持体２１Ａ、２１Ｂも、それぞれが折曲ガイド凹部７を介して２つ折りされてバンド体３に対して懸架するようにして組み付けられるとともに、ゼッケン２の横幅に合わせた間隔に設定される。
【００４３】
ゼッケン取付具２０においても、ゼッケン保持体２１の相対する第１領域部１０と第２領域部１１との間にゼッケン２を挟み込んだ状態で、第１係合部８と第２係合部９を係合して第１領域部１０と第２領域部１１を一体化する。ゼッケン保持体２１は、第１係合部８が、図７に示すようにゼッケン２の一部を係合孔９Ａ内に押し込みながら第２係合部９に係合されることにより、ゼッケン２を保持する。
【００４４】
ゼッケン取付具２０においては、ゼッケン保持体２１が、上述したように第１係合部８と第２係合部９を係合した状態において、第１領域部１０の第１バンド体挟持部２２と第２領域部１１の第２バンド体挟持部２３によりバンド体３を挟持する。ゼッケン取付具２０においては、図７に示すようにゼッケン保持体２１の第１バンド体挟持部２２と第２バンド体挟持部２３がバンド体３に対してそれぞれの凸条を食い込ませた状態で挟持する。また、ゼッケン取付具２０においては、ゼッケン保持体２１の第１バンド体挟持部２２と第２バンド体挟持部２３がゼッケン２に対してそれぞれの凸条を食い込ませた状態で挟持する。
【００４５】
ゼッケン取付具２０においては、これにより図６に示すようにバンド体３に対してしっかりと位置決め固定された２個のゼッケン保持体２１Ａ、２１Ｂがゼッケン２を拡げた状態に保持する。また、ゼッケン取付具２０においては、２個のゼッケン保持体２１Ａ、２１Ｂが、参加者Ｍの激しい動きに対してもバンド体３に対して位置ズレを生じることは無く、ゼッケン２をしっかりと保持する。
【００４６】
ゼッケン取付具２０においては、上述したように装飾体１３を取り外して用いることから、例えば図１に示すように一方のゼッケン保持体２１Ａがその表示部１４を表側にしてバンド体３に組み合わせるようにする。なお、ゼッケン取付具２０においては、この場合に他方のゼッケン保持体２１Ｂがその表示部１４を表側にしてバンド体３に組み合わせるようにしてもよい。ゼッケン取付具２０においては、かかる使用形態から、表示部付きのゼッケン保持体２１Ａと表示部無しのゼッケン保持体２１Ｂを１セットとするようにしてもよい。
【００４７】
ところで、ゼッケン取付具２０においては、上述したようにゼッケン２を第２係合部９に係合する第１係合部８により係合孔９Ａ内に押し込んで保持することから、ゼッケン２に皺寄りを生じさせ或いは第１係合部８と第２係合部９が確実に係合されないといった状態を生じさせる虞もある。ゼッケン取付具２０は、図１０に第２の使用の態様として示すように、取付孔１７を設けたゼッケン２をゼッケン保持体２１によって保持するようにしてもよい。ゼッケン２は、取付孔１７が上縁部に沿って幅方向に離間して第２係合部９をきつく貫通させる孔径を有し、パンチ等により穿孔されるためにコストアップとなることは無い。
【００４８】
ゼッケン保持体２１は、折曲ガイド凹部７を介して２つ折りされてバンド体３に組み付けられた状態で、筒状に形成された第２係合部９がゼッケン２に形成された取付孔１７に貫通される。ゼッケン保持体２１は、上述した第１の使用態様と同様に、第１係合部８が第２係合部９に係合されることにより、ゼッケン２を保持する。ゼッケン保持体２１は、ゼッケン２に皺寄りを生じさせず、第１係合部８と第２係合部９の係合状態が確実に保持されるようになる。なお、ゼッケン保持体２１は、かかる使用態様においても第１バンド体挟持部２２と第２バンド体挟持部２３によりバンド体３を挟持することから、参加者Ｍの激しい動きに対しても２個のゼッケン保持体４Ａ、４Ｂに位置ズレが生じることは無く、ゼッケン２をしっかりと保持する。
【００４９】
本考案は、上述した実施の形態に限定されるものでは無く、実用新案登録請求の範囲及びその主旨を逸脱することなく、構成要件について様々な変更、置換が行われることは勿論である。
【符号の説明】
【００５０】
１  ゼッケン取付具、２  ゼッケン、３  バンド体、４  ゼッケン保持体、５  結合プレート（結合手段）、６  第１主面部、７  折曲ガイド凹部、８  第１係合部、９  第２係合部、１０  第１領域部、１１  第２領域部、１２  第２主面部、１３  装飾体、１４  表示部、１５  登録番号、１７  競技大会名、１７  取付孔、２０  ゼッケン取付具、２１  ゼッケン保持体、２２  第１バンド挟持部、２３  第２バンド挟持部
【図１】
0003156057.tif 000003
【図２】
0003156057.tif 000004
【図３】
0003156057.tif 000005
【図４】
0003156057.tif 000006
【図５】
0003156057.tif 000007
【図６】
0003156057.tif 000008
【図７】
0003156057.tif 000009
【図８】
0003156057.tif 000010
【図９】
0003156057.tif 000011
【図１０】
0003156057.tif 000012